(57)【要約】【課題】より簡単に、かつ、安全にモニタを装着することができるようにする。【解決手段】モニタ３１をモニタ受け部７１に装着する場合、モニタ受け部７１の位置決め用ボス１０１−１および１０１−２がモニタ３１の位置決め用凹部１２１−１および１２１−２と嵌合して位置決めされた状態で、モニタ３１が所定の位置までモニタ受け部７１側に押し込まれたとき、モニタ３１のロックピン１２４−１および１２４−２がモニタ受け部７１のロックピン挿入孔１０３−１ａおよび１０３−２ａに挿入され、モニタ３１が固定される。また、ロックピン１２４−１の挿入が検出スイッチ１８３で検出される。本発明は、例えば、モニタ取り付け装置に適用できる。【選択図】図８
2008009109.tif 000002
【特許請求の範囲】
【請求項１】
画像または音声を出力する1個以上の出力装置を取り付ける取り付け装置であって、
前記出力装置を所定の位置に位置決めする位置決め手段と、
前記出力装置が所定の位置に位置決めされたとき、前記出力装置をロックするロック手段と、
前記出力装置のロックとロックの解除を検出し、ロックされたとき前記出力装置への電力の供給を許容し、ロックが解除されたとき、前記電力の供給を禁止するロック検出手段と
を備える取り付け装置。
【請求項２】
前記出力装置を、隣接する他の出力装置から離間する方向と接近する方向にスライド自在に支持するスライド手段をさらに備える
請求項１に記載の取り付け装置。
【請求項３】
前記出力装置がスライドするときの速度を抑制するスライド速度抑制手段をさらに備える
請求項２に記載の取り付け装置。
【請求項４】
前記出力装置をスライドさせる場合に取り外される、一列に並んだ複数の前記出力装置の両端にそれぞれ配置されたカバーの着脱を検出し、両端の前記カバーが取り外されたことを検出した場合、その間に位置する複数の前記出力装置全てへの電力の供給を停止するカバー検出手段をさらに備える
請求項２に記載の取り付け装置。
【請求項５】
一列に並んだ複数の前記出力装置を一体的に回転させるときの軸となる回転軸をさらに備える
請求項１に記載の取り付け装置。
【請求項６】
回転の速度を抑制する回転速度抑制手段をさらに備える
請求項５に記載の取り付け装置。
【請求項７】
前記出力装置を一体的に前記回転軸を中心に回転させる場合に取り外される、一列に並んだ複数の前記出力装置の両端にそれぞれ配置されたカバーの着脱を検出し、両端の前記カバーが取り外されたことを検出した場合、その間に位置する複数の前記出力装置全てへの電力の供給を停止するカバー検出手段をさらに備える
請求項５に記載の取り付け装置。
【請求項８】
複数のモニタを一列に隣接させて装着するモニタ取り付け装置に取り付けるモニタであって、
前記モニタ取り付け装置に対して取り付ける位置を位置決めする位置決め部と、
前記モニタ取り付け装置に対して位置決めされた場合に、前記モニタ取り付け装置のロックピン凹部に挿入し、嵌合するロックピンと、
前記ロックピンを前記ロックピン凹部の挿入方向に付勢する付勢部と
を表示画面の裏側に備えるモニタ。
【発明の詳細な説明】
【技術分野】
【０００１】
本発明は、取り付け装置およびモニタに関し、特に、より簡単に、かつ、安全にモニタを装着することができるようにする取り付け装置およびモニタに関する。
【背景技術】
【０００２】
多数のモニタを互いに接続して使用し、単体で使用する場合よりも高機能を実現するマルチモニタシステムが知られている（例えば、特許文献１参照）。
【０００３】
マルチモニタシステムでは、例えば、接続された複数のモニタ全ての画面によって１画面を構成して画像を表示させたり、複数のモニタそれぞれに同じ画像を表示させたり、動画像を構成する静止画像を時系列に複数のモニタに表示させたり、互いに異なるチャンネルの番組を各モニタで同時に表示させたりすることができる。
【０００４】
マルチモニタシステムにおいては、複数のモニタは、所定のラックまたはスタンドに装着される（例えば、特許文献２参照）。
【０００５】
【特許文献１】特開２００３−１９５８４３号公報
【特許文献２】特開２００４−１９１６０１号公報
【発明の開示】
【発明が解決しようとする課題】
【０００６】
しかしながら、従来のマルチモニタシステムにおいては、所定のラックまたはスタンドにモニタを装着するときの操作が面倒であった。例えば、モニタを固定するときのビス止めや配線の接続が面倒であった。
【０００７】
本発明は、このような状況に鑑みてなされたものであり、より簡単に、かつ、安全にモニタを装着することができるようにするものである。
【課題を解決するための手段】
【０００８】
本発明の第１の側面の取り付け装置は、画像または音声を出力する1個以上の出力装置を取り付ける取り付け装置であって、前記出力装置を所定の位置に位置決めする位置決め手段と、前記出力装置が所定の位置に位置決めされたとき、前記出力装置をロックするロック手段と、前記出力装置のロックとロックの解除を検出し、ロックされたとき前記出力装置への電力の供給を許容し、ロックが解除されたとき、前記電力の供給を禁止するロック検出手段とを備える。
【０００９】
前記出力装置を、隣接する他の出力装置から離間する方向と接近する方向にスライド自在に支持するスライド手段をさらに設けることができる。
【００１０】
前記出力装置がスライドするときの速度を抑制するスライド速度抑制手段をさらに設けることができる。
【００１１】
前記出力装置をスライドさせる場合に取り外される、一列に並んだ複数の前記出力装置の両端にそれぞれ配置されたカバーの着脱を検出し、両端の前記カバーが取り外されたことを検出した場合、その間に位置する複数の前記出力装置全てへの電力の供給を停止するカバー検出手段をさらに設けることができる。
【００１２】
一列に並んだ複数の前記出力装置を一体的に回転させるときの軸となる回転軸をさらに設けることができる。
【００１３】
回転の速度を抑制する回転速度抑制手段をさらに設けることができる。
【００１４】
前記出力装置を一体的に前記回転軸を中心に回転させる場合に取り外される、一列に並んだ複数の前記出力装置の両端にそれぞれ配置されたカバーの着脱を検出し、両端の前記カバーが取り外されたことを検出した場合、その間に位置する複数の前記出力装置全てへの電力の供給を停止するカバー検出手段をさらに設けることができる。
【００１５】
本発明の第１の側面においては、出力装置が所定の位置に位置決めされたとき、出力装置がロックされる。また、出力装置のロックとロックの解除が検出され、ロックされたとき出力装置への電力の供給が許容され、ロックが解除されたとき、電力の供給が禁止される。
【００１６】
本発明の第２の側面のモニタは、複数のモニタを一列に隣接させて装着するモニタ取り付け装置に取り付けるモニタであって、前記モニタ取り付け装置に対して取り付ける位置を位置決めする位置決め部と、前記モニタ取り付け装置に対して位置決めされた場合に、前記モニタ取り付け装置のロックピン凹部に挿入し、嵌合するロックピンと、前記ロックピンを前記ロックピン凹部の挿入方向に付勢する付勢部とを表示画面の裏側に備える。
【００１７】
本発明の第２の側面においては、モニタ取り付け装置に対して取り付ける位置が位置決めされた場合に、モニタ取り付け装置のロックピン凹部の挿入方向に付勢されているロックピンがロックピン凹部に挿入されて嵌合される。
【発明の効果】
【００１８】
本発明の側面によれば、より簡単に、かつ、安全にモニタを装着することができる。
【発明を実施するための最良の形態】
【００１９】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２０】
本発明の第１の側面の取り付け装置は、画像または音声を出力する1個以上の出力装置を取り付ける取り付け装置（例えば、図１のマルチモニタシステム１）であって、前記出力装置を所定の位置に位置決めする位置決め手段（例えば、図６の位置決め用凹部１２１−１乃至１２１−４）と、前記出力装置が所定の位置に位置決めされたとき、前記出力装置をロックするロック手段（図５のロックピン挿入孔１０３−１ａ，１０３−２ａ）と、前記出力装置のロックとロックの解除を検出し、ロックされたとき前記出力装置への電力の供給を許容し、ロックが解除されたとき、前記電力の供給を禁止するロック検出手段（例えば、図８の検出スイッチ１８３）とを備える。
【００２１】
本発明の第１の側面の取り付け装置は、前記出力装置を、隣接する他の出力装置から離間する方向と接近する方向にスライド自在に支持するスライド手段（例えば、図１６のスライドレール２６１−１，２６１−２）をさらに備える。
【００２２】
本発明の第１の側面の取り付け装置は、前記出力装置がスライドするときの速度を抑制するスライド速度抑制手段（例えば、図１６のダンパ３０３）をさらに備える。
【００２３】
本発明の第１の側面の取り付け装置は、前記出力装置をスライドさせる場合に取り外される、一列に並んだ複数の前記出力装置の両端にそれぞれ配置されたカバーの着脱を検出し、両端の前記カバーが取り外されたことを検出した場合、その間に位置する複数の前記出力装置全てへの電力の供給を停止するカバー検出手段（例えば、図１２の検出スイッチ２４２−１，２４２−２）をさらに備える。
【００２４】
本発明の第１の側面の取り付け装置は、一列に並んだ複数の前記出力装置を一体的に回転させるときの軸となる回転軸（例えば、図４の回転軸６２）をさらに備える。
【００２５】
本発明の第１の側面の取り付け装置は、回転の速度を抑制する回転速度抑制手段（例えば、図１１のダンパ２０４）をさらに備える。
【００２６】
本発明の第１の側面の取り付け装置は、前記出力装置を一体的に前記回転軸を中心に回転させる場合に取り外される、一列に並んだ複数の前記出力装置の両端にそれぞれ配置されたカバーの着脱を検出し、両端の前記カバーが取り外されたことを検出した場合、その間に位置する複数の前記出力装置全てへの電力の供給を停止するカバー検出手段（例えば、図１２の検出スイッチ２４２−１，２４２−２）をさらに備える。
【００２７】
本発明の第２の側面のモニタは、複数のモニタを一列に隣接させて装着するモニタ取り付け装置に取り付けるモニタ（例えば、図１のモニタ３１−１乃至３１−９）であって、前記モニタ取り付け装置に対して取り付ける位置を位置決めする位置決め部（例えば、図５の位置決め用ボス１０１−１乃至１０１−４）と、前記モニタ取り付け装置に対して位置決めされた場合に、前記モニタ取り付け装置のロックピン凹部に挿入し、嵌合するロックピン（例えば、図６のロックピン１２４−１，１２４−２）と、前記ロックピンを前記ロックピン凹部の挿入方向に付勢する付勢部（例えば、図８のコイルバネ１５３−１，１５３−２）とを表示画面の裏側に備える。
【００２８】
以下、図を参照して、本発明の実施の形態について説明する。
【００２９】
図１は、本発明を適用した実施の形態としてのマルチモニタシステムの外観図を示している。
【００３０】
図１Ａは、マルチモニタシステム１の正面図を示し、図１Ｂは、マルチモニタシステム１の側面図を示している。
【００３１】
マルチモニタシステム１は、載置される床面（図示せず）に垂直な面を画像の表示面とする、板状の略直方体の形状を有している表示部２１Ａと、表示部２１Ａを安定して直立させるために、図１Ｂに示されるように、表示部２１Ａの下方に幅広に形成されている土台部２１Ｂで構成されるモニタスタンド２１を有する。モニタスタンド２１の内側には、モニタ３１−１乃至３１−９およびスピーカネット３２−１乃至３２−６が前面に装着されているスピーカ４１−１乃至４１−６（図２参照）からなるモニタ連結ユニット２２が配置されている。即ち、マルチモニタシステム１は、複数のモニタ３１−１乃至３１−９を装着させるモニタ取り付け装置である。
【００３２】
具体的には、モニタ連結ユニット２２の正面側に、縦３列×横３列に互いに隣接して配置された計９台のモニタ３１−１乃至３１−９が装着されている。モニタ３１−１乃至３１−９それぞれは、例えば、LCD(Liquid Crystal display)などの薄型のディスプレイにより構成され、供給される映像信号に応じて画像を表示する。
【００３３】
また、モニタ連結ユニット２２において、上段の左端のモニタ３１−１の左隣にスピーカネット３２−１が装着され、右端のモニタ３１−３の右隣にスピーカネット３２−２が装着される。同様に、中段の左端のモニタ３１−４の左隣にスピーカネット３２−３が装着され、右端のモニタ３１−６の右隣にスピーカネット３２−４が装着される。さらに、下段の左端のモニタ３１−７の左隣にスピーカネット３２−５が装着され、右端のモニタ３１−９の右隣にスピーカネット３２−６が装着される。
【００３４】
モニタスタンド２１の下部の幅広となっている土台部２１Ｂの内部には、映像信号を入力させる入力端子、入力された映像信号を分配する分配器、電源制御回路などを含む図示せぬ電気ユニットが格納されている。
【００３５】
また、土台部２１Ｂの底面には、キャスタ２３−１乃至２３−８（キャスタ２３−６乃至２３−８は不図示）が設けられており、これにより、マルチモニタシステム１を水平方向に移動させることが可能である。
【００３６】
マルチモニタシステム１は、そこに入力される映像信号に従い、例えば、装着されたモニタ３１−１乃至３１−９全ての画面によって１画面を構成して画像を表示させたり、モニタ３１−１乃至３１−９それぞれに同じ画像を表示させたり、動画像を構成する各フレームの静止画像を時系列にモニタ３１−１乃至３１−９に順に表示させたり、互いに異なるチャンネルの番組の動画像をモニタ３１−１乃至３１−９それぞれで同時に表示させたりする。また、マルチモニタシステム１には、映像信号の他に、画像と同期して出力する音声の信号である音声信号も供給され、マルチモニタシステム１は、供給された音声信号に基づいて音声を出力する。
【００３７】
なお、以下において、モニタ３１−１乃至３１−９を個々に区別しない場合、単にモニタ３１と称し、スピーカネット３２−１乃至３２−６を個々に区別しない場合、単にスピーカネット３２と称する。後述するその他の部品（例えば、図２を参照して説明するスピーカ４１−１乃至４１−２０や、図４を参照して後述するモニタ受け部７１−１乃至７１−９など）についても同様である。
【００３８】
図２は、マルチモニタシステム１が有するスピーカの配置を示す図である。
【００３９】
マルチモニタシステム１は、その内部に、全部で２０個のスピーカ４１−１乃至４１−２０を有している。
【００４０】
スピーカ４１−１乃至４１−６は、それぞれ、マルチモニタシステム１の正面から見て、スピーカネット３２−１乃至３２−６の後方に配置されている。また、スピーカ４１−７乃至４１−１４は、表示部２１Ａ内のモニタ連結ユニット２２の下方に配置され、スピーカ４１−１５乃至４１−２０は、表示部２１Ａ内のモニタ連結ユニット２２の上方に配置されている。
【００４１】
スピーカ４１−１乃至４１−２０は、モニタ３１−１乃至３１−９に表示されている画像のうち、ユーザにより指定された１チャンネルの画像に対応する音声を出力する。
【００４２】
図３は、モニタスタンド２１とモニタ連結ユニット２２を、説明のため仮想的に分離して示す図である。
【００４３】
図３の下側に示されるように、モニタ連結ユニット２２は、上段に位置するモニタ３１−１乃至３１−３とその左右のスピーカネット３２−１および３２−２が取り付けられる上段モニタ取付ユニット６１ａ、中段に位置するモニタ３１−４乃至３１−６とその左右のスピーカネット３２−３および３２−４が取り付けられる中段モニタ取付ユニット６１ｂ、および、下段に位置するモニタ３１−７乃至３１−９とその左右のスピーカネット３２−５および３２−６が取り付けられる下段モニタ取付ユニット６１ｃとで構成される。
【００４４】
また、モニタ連結ユニット２２は、その内部を垂直方向に貫通する回転軸６２を、上部から見て左右方向中央の位置に有している。
【００４５】
上段モニタ取付ユニット６１ａ、中段モニタ取付ユニット６１ｂ、および下段モニタ取付ユニット６１ｃは、スピーカネット３２−１，３２−２、スピーカネット３２−３，３２−４、またはスピーカネット３２−５，３２−６を取り外した状態において、それぞれ独立に、回転軸６２を中心として１８０度回転することができる。これにより、上段のモニタ３１−１乃至３１−３、中段のモニタ３１−４乃至３１−６、または下段のモニタ３１−７乃至３１−９を、それぞれ独立に、モニタスタンド２１内において１８０度反対に向かせることができる。このため、回転軸６２から各段のモニタ取り付けユニット６１の４角までの距離は、モニタスタンド２１内において回転できる長さに形成されている。
【００４６】
上段モニタ取付ユニット６１ａの図中右側面には、上段モニタ取付ユニット６１ａが不要な回転をしないように回転をロックするロック機構６３−２が設けられている。また、図示は省略されているが、上段モニタ取付ユニット６１ａの左側面にも、同様のロック機構６３−１が設けられている。
【００４７】
同様に、中段モニタ取付ユニット６１ｂの右側面には、ロック機構６３−４が設けられており、中段モニタ取付ユニット６１ｂの左側面にも、ロック機構６３−３（不図示）が設けられている。そして、下段モニタ取付ユニット６１ｃの左側面と右側面にも、ロック機構６３−５（不図示）とロック機構６３−６が設けられている。
【００４８】
一方、モニタスタンド２１においては、モニタ取付ユニット６１ａ乃至６１ｃのロック機構６３−１乃至６３−６それぞれの対向する位置に、ロック機構６４−１乃至６４−６が設けられている。
【００４９】
ロック機構６３−１乃至６３−６は、同一のロック機構からなり、また、ロック機構６４−１乃至６４−６も、同一のロック機構からなる。ロック機構６３および６４の詳細な構成および動作については、図１８を参照して後述する。
【００５０】
図４乃至図１１を参照して、モニタ３１の固定機構について説明する。
【００５１】
モニタ連結ユニット２２から、モニタ３１を分離すると、図４に示すようになる。但し、詳細は後述するが、モニタ３１は１台毎に取り付けられ、また、外されるのであって、９台のモニタ３１−１乃至３１−９が一体的に同時に取り付けられたり、外されるわけではない。
【００５２】
上述したように、モニタ連結ユニット２２は、上段モニタ取付ユニット６１ａ、中段モニタ取付ユニット６１ｂ、および下段モニタ取付ユニット６１ｃにより構成される。
【００５３】
上段モニタ取付ユニット６１ａは、モニタ３１−１乃至３１−３を取り付けるモニタ受け部７１−１乃至７１−３と、スピーカ４１−１および４１−２が取り付けられているスピーカ取付部７２−１および７２−２により構成される。
【００５４】
また、中段モニタ取付ユニット６１ｂは、モニタ３１−４乃至３１−６を取り付けるモニタ受け部７１−４乃至７１−６と、スピーカ４１−３および４１−４が取り付けられているスピーカ取付部７２−３および７２−４により構成される。
【００５５】
下段モニタ取付ユニット６１ｃは、モニタ３１−７乃至３１−９を取り付けるモニタ受け部７１−７乃至７１−９と、スピーカ４１−５および４１−６が取り付けられているスピーカ取付部７２−５および７２−６により構成される。
【００５６】
モニタ受け部７１の、モニタ３１との接続面（以下、モニタ接続面と称する）の構成について、図５を参照して説明する。
【００５７】
モニタ受け部７１のモニタ接続面の四隅付近それぞれには、モニタ３１を装着するときの位置決め用ボス１０１−１乃至１０１−４が設けられている。位置決め用ボス１０１−１乃至１０１−４は、略円柱形状の凸部である。
【００５８】
また、位置決め用ボス１０１−１乃至１０１−４のうちの上側に配置された２つの位置決め用ボス１０１−１および１０１−２の中心部には、位置微調整用ピン挿入孔１０２−１および１０２−２がそれぞれ設けられている。
【００５９】
モニタ受け部７１のモニタ接続面には、その略中央部に半円柱状部１０５が垂直方向に形成されている。その半円柱状部１０５の上下方向やや中央に、モニタ３１が取り付けられたときモニタ３１のロックピン１２４−１および１２４−２（図６）を挿入させて固定することにより、モニタ３１を固定するロックピン固定部１０３−１および１０３−２が設けられている。ロックピン固定部１０３−１のロックピン挿入孔１０３−１ａにロックピン１２４−１が挿入され、ロックピン固定部１０３−２のロックピン挿入孔１０３−２aにロックピン１２４−２が挿入される。
【００６０】
さらに、モニタ受け部７１のモニタ接続面を左右に２分割した面それぞれの略中央部には、モニタ３１に電気信号を供給するためのコネクタ１０４−１および１０４−２が設けられている。
【００６１】
図６Ａと図６Ｂは、モニタ３１の背面図と側面図を示している。
【００６２】
モニタ３１の背面には、モニタ受け部７１の位置決め用ボス１０１−１乃至１０１−４と対向する位置に、位置決め用凹部１２１−１乃至１２１−４が設けられており、また位置決め用凹部１２１−１乃至１２１−４のうちの上側に配置された２つの位置決め用凹部１２１−１および１２１−２の中心部に、モニタ受け部７１の位置微調整用ピン挿入孔１０２−１および１０２−２にそれぞれ挿入される位置微調整用ピン１２２−１および１２２−２が設けられている。
【００６３】
図６において斜線で示される部分は、モニタ３１に対して凹部として形成されている部分であり、モニタ受け部７１において凸部となっているロックピン固定部１０３−１および１０３−２（図５）が、凹部であるロックピン固定受け部１２３−１および１２３−２にそれぞれ挿入される。ロックピン固定部１０３−１および１０３−２がロックピン固定受け部１２３−１および１２３−２にそれぞれ挿入されたとき、ロックピン１２４−１および１２４−２のそれぞれが、ロックピン挿入孔１０３−１ａおよび１０３−２a（図５）に挿入されて、モニタ３１がモニタ受け部７１に固定され、ロックされる。
【００６４】
レバー１２５−１および１２５−２は、ロックピン１２４−１および１２４−２とそれぞれ連結されている（後述する図８参照）。ユーザがモニタ３１をモニタ受け部７１から取り外す場合、ユーザはモニタ３１の側面を把持し、レバー１２５−１および１２５−２を指先で外側に引っ張る。これにより、レバー１２５−１および１２５−２に連結されているロックピン１２４−１および１２４−２がモニタ受け部７１のロックピン挿入孔１０３−１ａおよび１０３−２aから引き抜かれるので、モニタ３１のロックが解除され、モニタ３１が取り外し可能となる。
【００６５】
モニタ３１の背面の、モニタ受け部７１のコネクタ１０４−１および１０４−２（図５）に対向する位置には、コネクタ１０４−１および１０４−２とそれぞれ接続されるコネクタ１２６−１および１２６−２が設けられている。なお、コネクタ１０４とコネクタ１２６は、互いの金属端子を接触させて電気信号をやりとりする。コネクタ１０４とコネクタ１２６の一方がオスコネクタであり、他方がメスコネクタとされる。
【００６６】
図７を参照して、モニタ３１をモニタ受け部７１に固定するときの位置決めについて説明する。
【００６７】
図７Ａは、モニタ受け部７１の位置決め用ボス１０１−１と位置微調整用ピン挿入孔１０２−１の斜視図を示しており、図７Ｂは、モニタ３１の位置決め用凹部１２１−１と位置微調整用ピン１２２−１の斜視図を示している。
【００６８】
位置決め用ボス１０１−１の外径と位置決め用凹部１２１−１の内径には、多少の余裕がとってあり、ユーザが位置決め用ボス１０１−１を位置決め用凹部１２１−１に簡単に嵌め込むことができるようになっている。一方、位置微調整用ピン挿入孔１０２−１の内径と位置微調整用ピン１２２−１の外径との差は少なく、いわゆるガタがほとんどない。
【００６９】
モニタ受け部７１の位置決め用ボス１０１−１乃至１０１−４のうちの下側に配置された２つの位置決め用ボス１０１−３および１０１−４には、図７Ａに示される位置微調整用ピン挿入孔１０２−１に相当する部分がないので、モニタ３１の位置決め用凹部１２１−３および１２１−４を、より簡単に嵌め込むことができる。
【００７０】
従って、ユーザは、最初に、モニタ３１の下側の２つの位置決め用凹部１２１−３および１２１−４を、モニタ受け部７１の下側の２つの位置決め用ボス１０１−３および１０１−４にそれぞれ嵌め込み、概略の位置決めをした上で、次に、モニタ３１の上側の位置決め用凹部１２１−１および１２１−２を、モニタ受け部７１の上側の２つの位置決め用ボス１０１−１および１０１−２にそれぞれ嵌め込む。モニタ受け部７１の位置決め用ボス１０１−１乃至１０１−４とモニタ３１の位置決め用凹部１２１−１乃至１２１−４とが嵌合すると、ガタの少ないモニタ３１の位置微調整用ピン１２２−１および１２２−２をモニタ受け部７１の位置微調整用ピン挿入孔１０２−１および１０２−２に挿入するのが容易になるため、最後に、ユーザは、モニタ３１の位置微調整用ピン１２２−１および１２２−２を、モニタ受け部７１の位置微調整用ピン挿入孔１０２−１および１０２−２にそれぞれ嵌め込む。
【００７１】
そして、位置決め用ボス１０１−１乃至１０１−４と位置決め用凹部１２１−１乃至１２１−４、および、位置微調整用ピン挿入孔１０２−１および１０２−２と位置微調整用ピン１２２−１および１２２−２で位置決めされた状態で、モニタ３１の背面がモニタ受け部７１のモニタ接続面と接するように、ユーザがモニタ３１を押し込むと、モニタ３１のロックピン１２４−１および１２４−２が、モニタ受け部７１のロックピン挿入孔１０３−１ａおよび１０３−２aにそれぞれ挿入し、その結果、モニタ３１がモニタ受け部７１にロックされる。このように、モニタ３１とモニタ受け部７１とを簡単に位置決めして、モニタ３１をモニタ受け部７１に装着することができる。
【００７２】
図８は、モニタ３１とモニタ受け部７１の上面図である。
【００７３】
なお、モニタ受け部７１は、モニタ受け部７１−１乃至７１−９のうちの、中央に配置されている回転軸６２（図３）を有するモニタ受け部７１−２、７１−５、および７１−８と、左右に配置されている回転軸６２を有さないモニタ受け部７１−１、７１−３、７１−４、７１−６、７１−７、および７１−９とでは構造が若干異なる。以下では、回転軸６２を有さないモニタ受け部７１−１、７１−３、７１−４、７１−６、７１−７、および７１−９をモニタ受け部７１Ａと称し、回転軸６２を有するモニタ受け部７１−２、７１−５、および７１−８をモニタ受け部７１Ｂと称する。
【００７４】
図８のモニタ受け部７１は、回転軸６２を有さないモニタ受け部７１Ａとモニタ３１の上面図である。なお、回転軸６２を有するモニタ受け部７１Ｂについては、図１１を参照して後述する。
【００７５】
モニタ受け部７１Ａは、シャーシ１８１と、位置決め用ボス１０１−１および１０１−２、ロックピン固定部１０３−１および１０３−２などを有するスライドユニット１８２とで構成される。スライドユニット１８２は、図１３を参照して後述するように、シャーシ１８１に対して、図中右または左に所定量だけ移動することができるようになっている。
【００７６】
また、スライドユニット１８２のロックピン挿入孔１０３−１ａの奥側内部に、検出スイッチ１８３が設けられている。検出スイッチ１８３は、例えば、接触式のスイッチであり、モニタ３１がモニタ受け部７１に装着され、モニタ３１のロックピン１２４−１がモニタ受け部７１のロックピン挿入孔１０３−１ａに挿入されたとき、ロックピン１２４−１の先端によって検出スイッチ１８３が押圧され、電気的接点がオンする。これにより、ロックピン１２４−１が挿入されたこと（モニタ３１がロックされたこと）が検出される。
【００７７】
一方、モニタ３１では、ロックピン１２４−１を貫通させて、ロックピン１２４−１を長手方向に移動自在に支持するロックピン支持ブロック１５１−１とバネ抑えプレート１５２−１とが、筐体１５０に固定されている。そして、ロックピン支持ブロック１５１−１とバネ抑えプレート１５２−１との間には、コイルバネ１５３−１が配置され、コイルバネ１５３−１の内部をロックピン１２４−１が貫通している。このコイルバネ１５３−１により、ロックピン１２４−１が図中右方向、即ち、モニタ受け部７１Ａの検出スイッチ１８３を押圧する方向に付勢されている。
【００７８】
また、ロックピン１２４−１には、ロックピン１２４−１を図中左方向、即ち、モニタ受け部７１Ａのロックピン挿入孔１０３−１ａからロックピン１２４−１を引き抜く方向に移動させるためのレバー１２５−１が連結されている。
【００７９】
モニタ３１の右側にも、モニタ受け部７１Ａのロックピン挿入孔１０３−２ａに挿入されるように、ロックピン１２４−２、レバー１２５−２、ロックピン支持ブロック１５１−２、バネ抑えプレート１５２−２、およびコイルバネ１５３−２が同様の構造で設けられている。
【００８０】
図９を参照して、図８のロックピン１２４−１の移動動作についてさらに説明する。
【００８１】
図９Ａは、ロックピン１２４−１とレバー１２５−１の斜視図である。
【００８２】
図９Ａに示されるように、ロックピン１２４−１には、その長手方向のほぼ中央部にツバ１２４−１ａが形成されている。また、ロックピン１２４−１は、その先端にテーパ面１２４−１ｃが形成されており、その反対の端部に近い側に、直径が他の部分より小さくなっているくびれ部１２４−１ｂが形成されており、そのくびれ部１２４−１ｂに、レバー１２５−１の先端のＵ字形状部１２５−１ａが係止するようになされている。これにより、ユーザがレバー１２５−１をロックピン１２４−１の長手方向に動かすと、ロックピン１２４−１も同期して同じ方向に移動する。
【００８３】
図９Ｂは、ユーザがレバー１２５−１を操作していない自然状態のロックピン１２４−１の位置関係を示している。
【００８４】
コイルバネ１５３−１の一端はバネ抑えプレート１５２−１に当接しており、圧縮されているコイルバネ１５３−１がその他端でツバ１２４−１aを押すことにより、ロックピン１２４−１がテーパ状の先端方向（図中右方向）に付勢されている。
【００８５】
コイルバネ１５３−１により先端方向に付勢されたロックピン１２４−１は、ツバ１２４−１aがロックピン支持ブロック１５１−１に当接することで静止する。この静止状態において、ロックピン１２４−１の先端は、ロックピン支持ブロック１５１−１から所定量だけ突出するので、モニタ３１をモニタ受け部７１Ａに装着した場合には、ロックピン１２４−１の突出部がロックピン挿入孔１０３−１ａに挿入して検出スイッチ１８３を押圧し、オンさせる。また、この静止状態においては、ロックピン１２４−１に係止されているレバー１２５−１は、バネ抑えプレート１５２−１に接している。
【００８６】
ユーザがモニタ３１をモニタ受け部７１Ａから取り外す場合、ユーザは、図９Ｃに示すように、レバー１２５−１に指１５６を掛け、コイルバネ１５３−１の付勢力に抗して矢印で示される図中左方向に引っ張る。すると、ロックピン１２４−１は、レバー１２５−１の移動に同期して図中左方向に移動する。その結果、ロックピン１２４−１の先端は、ロックピン支持ブロック１５１−１内に収納され、モニタ受け部７１Ａのロックピン挿入孔１０３−１ａから抜けるので、ロックが解除され、モニタ３１がモニタ受け部７１Ａから取り外し可能となると同時に、モニタ受け部７１Ａの検出スイッチ１８３の押圧が解除され、検出スイッチ１８３はオフとなる。これにより、ロックの解除が検出される。
【００８７】
モニタ３１を装着する場合、ユーザは、レバー１２５−１を引き、図９Ｃに示されるようにロックピン１２４−１を後退させ、モニタ受け部７１Ａにモニタ３１を押し付ける。このときロックピン１２４−１ｃの先端が若干突出していても、ロックピン固定部１０３−１の端部がテーパ面１２４−１ｃを押圧するのでロックピン１２４−１は後退する。ユーザがレバー１２５−１から手を離した場合、ロックピン１２４−１は、コイルバネ１５３−１の付勢力により、図９Ｃにおいて右方向に移動し、再び図９Ｂに示した状態となる。
【００８８】
図１０は、モニタ３１がモニタ受け部７１Ａに装着された状態を示しており、この場合、モニタ３１のロックピン１２４−１がモニタ受け部７１Ａのロックピン挿入孔１０３−１ａに挿入し、検出スイッチ１８３を押圧している。
【００８９】
また、上述したように、モニタ３１のレバー１２５−１および１２５−２が設けられている部分には凹部が形成されており、モニタ３１がモニタ受け部７１Ａに装着された場合でも、ユーザがレバー１２５−１および１２５−２を操作するために指を挿入するスペースが確保されている。
【００９０】
なお、図１０では、モニタ３１のロックピン１２４−１をモニタ受け部７１Ａのロックピン挿入孔１０３−１から引き抜く場合の移動方向（図中左方向）にモニタ受け部７１Ａの位置決め用ボス１０１−１があるため、ロックピン１２４−１が移動不可能に見えるが、実際には、ロックピン１２４−１と位置決め用ボス１０１−１は異なる高さに配置されているため、干渉することはない。右側のロックピン１２４−２と位置決め用ボス１０１−２についても同様である。
【００９１】
図１１は、モニタ３１が、回転軸６２を有するモニタ受け部７１Ｂに装着された状態を示している。
【００９２】
図１１のモニタ受け部７１Ｂは、図８のモニタ受け部７１Ａが有するスライドユニット１８２を有しておらず、モニタ接続面までシャーシ１８１で構成されている。従って、モニタ受け部７１Ｂでは、モニタ接続面はスライドしない。
【００９３】
代わりに、モニタ受け部７１Ｂは、回転軸６２を中心として回転する機構を備えており、回転軸６２と同軸に、主歯車２０１が設けられている。また、モニタ受け部７１Ｂは、主歯車２０１と噛合する副歯車２０２、副歯車２０２と噛合する歯車２０３、および、歯車２０３の回転を抑制するダンパ２０４を備えている。
【００９４】
モニタ受け部７１Ｂが回転軸６２を中心として回転すると、主歯車２０１がモニタ受け部７１Ｂの回転方向と同方向に回転する。主歯車２０１と噛合している副歯車２０２は、主歯車２０１が回転すると、その回転方向と反対の回転方向に回転する。副歯車２０２と噛合している歯車２０３は、副歯車２０２が回転すると、その回転方向と反対の回転方向に回転する。
【００９５】
但し、歯車２０３は、ダンパ２０４により与圧され、歯車２０３の回転力が抑制されているので、速い角速度で回転することはない。そして、歯車２０３と噛合している副歯車２０２、および副歯車２０２と噛合している主歯車２０１も同様に、速い角速度で回転し難くなる。
【００９６】
従って、モニタ受け部７１Ｂを回転軸６２を中心として回転する場合に、ユーザが不用意にモニタ取付ユニットに大きな力を加えたとしても、モニタ取付ユニットが速い角速度で回転することが抑制される。これにより、ユーザがより安全に、上段モニタ取付ユニット６１ａ、中段モニタ取付ユニット６１ｂ、または下段モニタ取付ユニット６１ｃを回転させることができ、それらの損傷を防止することができる。
【００９７】
次に、図１２乃至図１７を参照して、モニタ受け部７１Ａに採用されているスライド機構について説明する。
【００９８】
図１２は、上段モニタ取付ユニット６１ａを正面から見た図である。
【００９９】
モニタ３１−１乃至３１−３とスピーカネット３２−１および３２−２が、上段モニタ取付ユニット６１ａに完全に装着された状態では、図１２Ａに示されるように、上段モニタ取付ユニット６１ａの正面は、モニタ３１−１乃至３１−３とスピーカネット３２−１および３２−２によって隙間なく覆われている。
【０１００】
上述したように、モニタ３１をモニタ受け部７１から取り外す場合には、モニタ３１の側面を把持して、裏面のレバー１２５−１および１２５−２を外側に引っ張り、モニタ３１のロックピン１２４−１および１２４−２を、モニタ受け部７１Ａのロックピン挿入孔１０３−１ａおよび１０３−２ａから抜き出す必要がある。
【０１０１】
しかしながら、図１２Ａに示される状態では、モニタ３１の側面に手を差し込むスペースがない。そこで、モニタ３１−１をモニタ受け部７１から取り外す場合、最初に、ユーザは、スピーカネット３２−１を取り外す。モニタ３１−３を取り外す場合には、スピーカネット３２−２を取り外す必要がある。
【０１０２】
図４を参照して上述したように、スピーカネット３２−１および３２−２の後ろには、それぞれ、スピーカ４１−１および４１−２が配置されているが、そのスピーカ４１−１および４１−２は、図１２Ｂに示されるように、スピーカ固定プレート２４１−１および２４１−２に固定されている。
【０１０３】
このスピーカ固定プレート２４１−１または２４１−２の図中横方向の寸法（幅）は、スピーカネット３２−１または３２−２のそれより小さくなっている。そして、スピーカ固定プレート２４１−１の幅がスピーカネット３２−１の幅より狭くなっている分だけ、モニタ３１−１を左側に移動させることができる。同様に、スピーカ固定プレート２４１−２の幅がスピーカネット３２−２の幅より狭くなっている分だけ、モニタ３１−２を右側に移動させることができる。
【０１０４】
具体的には、モニタ３１−１または３１−３を移動させると、モニタ３１−１または３１−２が装着されているモニタ受け部７１Ａのスライドユニット１８２（図８）が一緒に移動するので、モニタ３１−１または３１−３の移動が許容される。
【０１０５】
その結果、図１２Ｂにおいて、点線で示される部分のスペースが確保され、ユーザは、そのスペースに手を挿入し、モニタ３１の側面を把持して、裏面のレバー１２５−１および１２５−２を操作して、モニタ３１をモニタ受け部７１から取り外すことが可能となる。
【０１０６】
スピーカ固定プレート２４１−１とモニタ３１−１の間には、スピーカネット３２−１が装着されている状態であるかを検出する検出スイッチ２４２−１とスピーカネット３２−１を固定する着脱部品２４３−１が配置されている。検出スイッチ２４２−１と着脱部品２４３−１は、支持プレート２４４−１に固定され、支持プレート２４４−１は、スピーカ固定プレート２４１−１に固定されている。
【０１０７】
スピーカ固定プレート２４１−２とモニタ３１−３の間にも同様に、スピーカネット３２−２が装着されている状態であるかを検出する検出スイッチ２４２−２とスピーカネット３２−２を固定する着脱部品２４３−２が配置されており、検出スイッチ２４２−２と着脱部品２４３−２は、支持プレート２４４−２に固定され、支持プレート２４４−２は、スピーカ固定プレート２４１−２に固定されている。
【０１０８】
着脱部品２４３は、例えば、押すと固定され、もう一度押すと開放されるいわゆるワンタッチキャッチや、磁力で吸着するマグネットキャッチなどで構成され、図１５を参照して後述するように、スピーカネット３２側の着脱部品２８２とのセットで使用される。
【０１０９】
図１３は、図１２の上段モニタ取付ユニット６１ａのうちの、モニタ３１−３を取り付けるモニタ受け部７１−３付近を上方から見た図である。
【０１１０】
図１３Ａは、モニタ３１−３が画像を表示する場合のモニタ受け部７１−３の位置を示し、図１３Ｂは、モニタ３１−３を脱着する場合のモニタ受け部７１−３の位置を示している。
【０１１１】
モニタ受け部７１−３の内部には、レール２６１ａとレール２６１ｂとからなるスライドレール２６１が設けられている。
【０１１２】
スライドレール２６１の一方であるレール２６１ａは、シャーシ１８１に固定され、他方のレール２６１ｂは、スライドユニット１８２に固定されている。
【０１１３】
従って、図１３Ａに示される位置にある、モニタ３１−３が装着されているスライドユニット１８２を、ユーザが図中右方向に移動させると、スライドユニット１８２と一体となされているレール２６１ｂがレール２６１a上をスライドして、モニタ３１−３とスライドユニット１８２が図１３Ｂに示される位置に移動する。
【０１１４】
図１４Ａと図１４Ｂは、スライドレール２６１の正面図と側面図を示している。
【０１１５】
レール２６１ａには移動方向に沿って溝（凹部）が設けられており、レール２６１ｂに設けられている凸部が、レール２６１aの溝に嵌合する。レール２６１ａが固定されているとした場合、レール２６１ａの溝（斜線部）に沿って、レール２６１ｂが可動する。
【０１１６】
次に、図１５を参照して、スピーカネット３２−２の固定について説明する。図１５は、スピーカネット３２−２を側面から見た図である。
【０１１７】
スピーカネット３２−２には、プレート２８１−２と着脱部品２８２−２が取り付けられている。プラスチック等で形成され、弾性変形が容易な着脱部品２８２−２は、上段モニタ取付ユニット６１ａ側の着脱部品２４３−２と嵌合する。これにより、スピーカネット３２−２が上段モニタ取付ユニット６１ａに固定される。また、スピーカネット３２−２側の着脱部品２８２−２と上段モニタ取付ユニット６１ａ側の着脱部品２４３−２が嵌合してスピーカネット３２−２が固定された場合に、プレート２８１−２は、検出スイッチ２４２−２を押圧し、検出スイッチ２４２−２の電気的接点をオンさせる。スピーカネット３２−２が外されると、検出スイッチ２４２−２はオフする。これにより、スピーカネット３２−２が取り付けられているか否かを検出することができる。
【０１１８】
図示は省略するが、上段モニタ取付ユニット６１ａの左側に装着されるスピーカネット３２−１にも同様に、着脱部品２４３−１と嵌合する着脱部品２８２−１と、スピーカネット３２−１が固定された場合に検出スイッチ２４２−１を押圧するプレート２８１−１が設けられている。
【０１１９】
図１６は、図１３に示した上段モニタ取付ユニット６１ａの右側部分の正面図である。
【０１２０】
図１３および図１４を参照して説明したスライドレール２６１は、スライドレール２６１−１および２６１−２として、モニタ受け部７１−３に取り付けられている。スライドレール２６１−１は、モニタ受け部７１−３の上方に、スライドレール２６１−２は、モニタ受け部７１−３の下方に、それぞれ取り付けられている。
【０１２１】
モニタ受け部７１−３において、スライドレール２６１−２のさらに下方には、ラック３０１、ピニオン３０２、およびダンパ３０３が設けられている。
【０１２２】
ラック３０１、ピニオン３０２、およびダンパ３０３を、上方から見た場合の詳細な図を図１７に示す。スライドユニット１８２側にラック３０１が取り付けられており、ピニオン３０２がシャーシ１８１側に取り付けられている。ピニオン３０２は、回転を抑制するダンパ３０３と接続されており、そのダンパ３０３によってピニオン３０２が軽い力では回転しないように与圧されているので、ピニオン３０２と噛合しているラック３０１が取り付けられているスライドユニット１８２の移動速度も抑制される。これにより、ユーザが不用意に大きな力を加えたとしても、モニタ３１が速い速度で移動することが抑制される。その結果、ユーザの安全とモニタ３１やスライドユニット１８２の損傷を防止することができる。
【０１２３】
次に、図１８を参照して、上段モニタ取付ユニット６１ａの回転軸６２を中心とする回転をロックするロック機構６３および６４の詳細な構成および動作について説明する。なお、中段モニタ取付ユニット６１ｂおよび下段モニタ取付ユニット６１ｃも、上段モニタ取付ユニット６１ａと同様の構成であり、同じ動作となるので、その説明は省略する。
【０１２４】
上段モニタ取付ユニット６１ａ側のロック機構６３は、ロック解除ピン３６１、そのロック解除ピン３６１を支持するロック解除ピン支持ブロック３６２、並びに、ロックピン係止ブロック３６３−１および３６３−２からなる。ロック解除ピン支持ブロック３６２とロックピン係止ブロック３６３−１および３６３−２は、図示せぬ支持プレートに固定されている。
【０１２５】
一方、モニタスタンド２１側のロック機構６４は、上段モニタ取付ユニット６１ａ側のロック解除ピン３６１と同軸上、かつ、対向する位置にある支柱３４１、支柱３４１を案内する支柱ガイド３４２、支柱ガイド３４２を固着する固定プレート３４３、固定プレート３４３がボルト３４４−１乃至３４４−７で固定されるフレーム３４５、並びに、支柱３４１と連結プレート３４６で連結されたロックピン３４７−１および３４７−２からなる。
【０１２６】
上段モニタ取付ユニット６１ａ側のロック解除ピン３６１は、対向する位置にある支柱３４１から遠ざかる方向に図示せぬバネにより付勢されている。上段モニタ取付ユニット６１ａを回転軸６２を中心として回転させる場合、ユーザは、ロック解除ピン３６１を外側（図中右方向）に押圧する。すると、ロック解除ピン３６１により押圧され、それと同軸上、かつ、対向する位置にある支柱３４１が同方向に移動する。
【０１２７】
支柱３４１が外側に移動すると、連結プレート３４６で支柱３４１と連結されているロックピン３４７−１および３４７−２も同方向に移動する。これにより、上段モニタ取付ユニット６１ａ側のロックピン係止ブロック３６３−１および３６３−２に挿入されていたロックピン３４７−１および３４７−２が、ロックピン係止ブロック３６３−１および３６３−２から抜ける。その結果、上段モニタ取付ユニット６１ａの係止が解除されるため、上段モニタ取付ユニット６１ａはフリーとなり、回転可能となる。
【０１２８】
なお、ユーザがロック解除ピン３６１の押圧を中止すると、バネの付勢力により、ロック解除ピン３６１は、図１８に示される状態に戻る。
【０１２９】
また、連結プレート３４６で互いに連結されている支柱３４１とロックピン３４７−１および３４７−２は、ロック解除ピン３６１の方向に、図示せぬバネにより付勢されている。従って、支柱３４１がロック解除ピン３６１に押されていない状態では、ロックピン３４７−１および３４７−２は、モニタ取付ユニット６１側のロックピン係止ブロック３６３−１および３６３−２に挿入されるように突出している。
【０１３０】
上段モニタ取付ユニット６１ａ側のロックピン係止ブロック３６３−１には、上段モニタ取付ユニット６１ａが回転軸６２を中心として回転してきたときに、中心部の穴に案内するように回転方向に沿ってＶ溝が形成されている。また、ロックピン係止ブロック３６３−１には、上段モニタ取付ユニット６１ａの回転に応じて、ロックピン係止ブロック３６３−１の中心部に近づくに従ってロックピン３４７−１を外側に押し出し、ロックピン係止ブロック３６３−１の中心部にきたときに穴に落とし込むように、回転の半径方向に対してはテーパが付けられている。
【０１３１】
ロックピン係止ブロック３６３−１は、上段モニタ取付ユニット６１ａが回転軸６２を中心として回転し、ロックピン３４７−１と正対する位置にきたとき、ロックピン係止ブロック３６３−１の中心部の穴にロックピン３４７−１を落とし込み、上段モニタ取付ユニット６１ａを固定する。ロックピン係止ブロック３６３−２とロックピン３４７−２についても同様である。
【０１３２】
なお、図１８の２点鎖線は、スピーカネット３２−２のフレーム３７１を表している。
【０１３３】
図１９は、モニタ３１−１乃至３１−９に電力を供給する電源ラインの接続図である。
【０１３４】
図１９では、モニタ受け部７１−１乃至７１−９にそれぞれ設けられている検出スイッチ１８３（図８参照）を検出スイッチ１８３−１乃至１８３−９と表している。また、検出スイッチ２４２−１および２４２−２は、上段モニタ取付ユニット６１ａに設けられている、スピーカネット３２−１および３２−２をそれぞれ検出する検出スイッチであり、検出スイッチ２４２−３および２４２−４は、中段モニタ取付ユニット６１ｂに設けられている、スピーカネット３２−３および３２−４をそれぞれ検出する検出スイッチであり、検出スイッチ２４２−５および２４２−６は、下段モニタ取付ユニット６１ｃに設けられている、スピーカネット３２−５および３２−６をそれぞれ検出する検出スイッチである。
【０１３５】
モニタ３１−１の電源ラインには、並列接続された検出スイッチ２４２−１および２４２−２と、モニタ受け部７１−１の検出スイッチ１８３−１とが、直列に接続されている。
【０１３６】
従って、検出スイッチ１８３−１がオフされるか、または、検出スイッチ２４２−１および２４２−２がオフされると、モニタ３１−１への電力の供給が停止される。
【０１３７】
モニタ３１−１をモニタ受け部７１−１から取り外す場合、図１２を参照して説明したように、最初に、スピーカネット３２−１を取り外して、モニタ３１−１を外側に所定量移動させる必要がある。従って、スピーカネット３２−１を取り外した時点で、スピーカネット３２−１の装着を検出する検出スイッチ２４２−１はオフされる。しかしながら、検出スイッチ２４２−１と２４２−２とは並列接続されており、検出スイッチ２４２−２がオンされたままであるので、モニタ３１−１乃至３１−３に電力はまだ供給される。即ち、片方のスピーカネット３２−１が取り外されただけではモニタ３１−１乃至３１−３はまだ表示可能である。
【０１３８】
そして、ユーザは、モニタ３１−１を外側に移動後、その移動により空いたスペースに手を挿入してモニタ３１−１の側面を把持し、裏面のレバー１２５−１および１２５−２を操作して、モニタ３１−１をモニタ受け部７１−１から取り外す。検出スイッチ１８３−１は、ユーザがレバー１２５−１を外側に引いたとき、オフされる。
【０１３９】
従って、モニタ受け部７１−１に装着されているモニタ３１−１を取り外すときには、モニタ３１−１を手前に動かす前にモニタ３１−１の電源がオフされている状態となるので、安全にモニタ３１−１を取り外すことができる。
【０１４０】
また、モニタ３１−１をモニタ受け部７１−１に装着するときには、モニタ３１−１の固定位置への移動が完了したときにロックピン１２４−１がロックピン挿入孔１０３−１ａに挿入され、検出スイッチ１８３−１がオンすることになるので、モニタ３１−１がモニタ受け部７１−１に完全に装着されるまでは、モニタ３１−１の電源がオンしない。従って、ユーザは安全にモニタ３１−１を装着することができる。
【０１４１】
モニタ３１−２乃至３１−９のそれぞれを単独に装着または取り外す場合についても同様である。
【０１４２】
次に、上段モニタ取付ユニット６１ａを、回転軸６２を中心に回転させる場合について考える。
【０１４３】
上段モニタ取付ユニット６１ａを回転軸６２を中心に回転させる場合、図１８を参照して説明したように、ロック解除ピン３６１を押圧する必要があるので、最初に、ユーザはスピーカネット３２−１および３２−２を取り外す。
【０１４４】
スピーカネット３２−１および３２−２が取り外されると、検出スイッチ２４２−１および２４２−２がオフされる。この時点で、モニタ３１−１乃至３１−３への電力の供給が停止する。
【０１４５】
従って、上段モニタ取付ユニット６１ａを回転させるときには、既にモニタ３１−１乃至３１−３の電源がオフされている状態となるので、ユーザは安全に上段モニタ取付ユニット６１ａを回転させることができる。
【０１４６】
中段モニタ取付ユニット６１ｂ、および下段モニタ取付ユニット６１ｃを回転させる場合についても同様である。
【０１４７】
以上のように、モニタ３１をモニタ受け部７１に装着する場合、モニタ３１の位置決め用凹部１２１−１乃至１２１−４と、モニタ受け部７１の位置決め用ボス１０１−１乃至１０１−４とで簡単に位置決めをすることができ、位置決め用凹部１２１−１乃至１２１−４と位置決め用ボス１０１−１乃至１０１−４とを位置決めすると、モニタ３１の位置微調整用ピン１２２−１および１２２−２を、モニタ受け部７１の位置微調整用ピン挿入孔１０２−１および１０２−２に簡単に嵌め込むことができる。そして、モニタ３１の位置微調整用ピン１２２−１および１２２−２と、モニタ受け部７１の位置微調整用ピン挿入孔１０２−１および１０２−２とで正確に位置決めされた状態で、モニタ３１が所定の位置までモニタ受け部７１側に押し込まれたときに、モニタ３１のロックピン１２４−１および１２４−２がモニタ受け部７１のロックピン挿入孔１０３−１ａおよび１０３−２ａに挿入され、モニタ３１が固定される。このように、ユーザは、モニタ３１をモニタ受け部７１に簡単に装着することができる。
【０１４８】
また、ロックピン１２４−１がロックピン挿入孔１０３−１ａに完全に挿入された場合にのみ、検出スイッチ１８３がオンし、モニタ３１をモニタ受け部７１から取り外す場合には、検出スイッチ１８３がオフされてから、モニタ３１を移動させるようになされているので、ユーザはモニタ３１を安全に着脱することができる。
【０１４９】
さらに、上段モニタ取付ユニット６１ａ、中段モニタ取付ユニット６１ｂ、または下段モニタ取付ユニット６１ｃを回転軸６２を中心として回転させる場合には、その両端に取り付けられているスピーカネット３２−１および３２−２、３２−３および３２−４、または３２−５および３２−６を取り外す必要がある構造となされ、スピーカネット３２−１および３２−２、３２−３および３２−４、または３２−５および３２−６が取り外されたとき、上段モニタ取付ユニット６１ａ、中段モニタ取付ユニット６１ｂ、または下段モニタ取付ユニット６１ｃに装着されるモニタ３１−１乃至３１−３、３１−４乃至３１−６、または３１−７乃至３１−９に対する電力の供給が停止するので、ユーザは、上段モニタ取付ユニット６１ａ、中段モニタ取付ユニット６１ｂ、または下段モニタ取付ユニット６１ｃを安全に回転させることができる。
【０１５０】
なお、上述した実施の形態では、上段のモニタ３１−１乃至３１−３、中段のモニタ３１−４乃至３１−６、および下段のモニタ３１−７乃至３１−９というように、横の列単位で複数のモニタ３１を回転させるようにしたが、中段のモニタ３１−４乃至３１−６の裏側に水平な回転軸を設けて、左列（モニタ３１−１、３１−４、および３１−７）、中央列（モニタ３１−２、３１−５、および３１−８）、右列（モニタ３１−３、３１−６、および３１−９）というように縦の列単位で複数のモニタ３１を回転させるようにすることも可能である。
【０１５１】
また、上述した実施の形態では、マルチモニタシステム１が９台のモニタ３１で構成される例について説明したが、マルチモニタシステム１を構成するモニタ３１の台数は、９台に限らず、任意の台数とすることができる。
【０１５２】
さらに、上述した実施の形態では、検出スイッチ１８３または２４２として接触式のスイッチを採用したが、非接触の近接スイッチを採用しても良い。また、スピーカネット３２−１乃至３２−６の奥にはスピーカ４１−１乃至４１−６を設けずに、スピーカネット３２−１乃至３２−６を単に装飾カバーとしてもよい。要は、モニタ３１を取り外したり、上段モニタ取付ユニット６１ａ、中段モニタ取付ユニット６１ｂ、または下段モニタ取付ユニット６１ｃを回転させるときに、それを取り外す必要があり、装着の有無を検出スイッチ２４２で検出することができるものであればよい。
【０１５３】
本明細書において、システムとは、複数の装置により構成される装置全体を表すものである。
【０１５４】
また、本発明の実施の形態は、上述した実施の形態に限定されるものではなく、本発明の要旨を逸脱しない範囲において種々の変更が可能である。
【図面の簡単な説明】
【０１５５】
【図１】本発明を適用したマルチモニタシステムの外観の構成を示す図である。
【図２】マルチモニタシステムが有するスピーカの配置を示す図である。
【図３】マルチモニタシステムを構成するモニタスタンドとモニタ連結ユニットについて説明する図である。
【図４】モニタ連結ユニットについて説明する図である。
【図５】モニタ連結ユニットのモニタ受け部について説明する図である。
【図６】モニタの背面と側面の構成を示す図である。
【図７】モニタとモニタ受け部の位置決めについて説明する図である。
【図８】モニタとモニタ受け部の構成を示す上面図である。
【図９】ロックピンの移動動作について説明する図である。
【図１０】モニタがモニタ受け部に装着されている状態を示す図である。
【図１１】モニタがモニタ受け部に装着されている状態を示す図である。
【図１２】モニタ受け部のスライド機構について説明する図である。
【図１３】モニタ受け部のスライド機構について説明する図である。
【図１４】スライドレールについて説明する図である。
【図１５】スピーカネットの固定について説明する図である。
【図１６】上段モニタ取付ユニットの一部の構成を示す図である。
【図１７】モニタ受け部のラックとピニオンについて説明する図である。
【図１８】上段モニタ取付ユニットのロック機構について説明する図である。
【図１９】モニタの電源ラインの接続について説明する図である。
【符号の説明】
【０１５６】
１  マルチモニタシステム，  ２１  モニタスタンド，  ２２  モニタ連結ユニット，  ３１−１乃至３１−９  モニタ，  ３２−１乃至３２−６  スピーカネット，  ６１ａ  上段モニタ取付ユニット，  ６１ｂ  中段モニタ取付ユニット，  ６１ｃ  下段モニタ取付ユニット，  ６２  回転軸，  ６３，６４  ロック機構，  ７１−１乃至７１−３，７１Ａ，７１Ｂ  モニタ受け部，  １０１−１乃至１０１−４  位置決め用ボス，  １０２−１および１０２−２  位置微調整用ピン挿入孔，  １０３−１ａおよび１０３−２ａ  ロックピン挿入孔，  １２１−１乃至１２１−４  位置決め用凹部，  １２２−１および１２２−２  位置微調整用ピン，  １２４−１および１２４−２  ロックピン，  １５３−１および１５３−２  バネ，  １８３  検出スイッチ，  ２０４  ダンパ，  ２４２−１乃至２４２−６  検出スイッチ，  ２６１（２６１−１，２６１−２）  スライドレール，  ２６１ａ，２６１ｂ  レール，  ３０３  ダンパ
【図１】
2008009109.tif 000003
【図２】
2008009109.tif 000004
【図３】
2008009109.tif 000005
【図４】
2008009109.tif 000006
【図５】
2008009109.tif 000007
【図６】
2008009109.tif 000008
【図７】
2008009109.tif 000009
【図８】
2008009109.tif 000010
【図９】
2008009109.tif 000011
【図１０】
2008009109.tif 000012
【図１１】
2008009109.tif 000013
【図１２】
2008009109.tif 000014
【図１３】
2008009109.tif 000015
【図１４】
2008009109.tif 000016
【図１５】
2008009109.tif 000017
【図１６】
2008009109.tif 000018
【図１７】
2008009109.tif 000019
【図１８】
2008009109.tif 000020
【図１９】
2008009109.tif 000021